(57)【要約】      （修正有）【課題】第１の円弧面と第２の円弧面の当接により、第１のレンズと第２のレンズが比較的に高い同軸度を保ち、且つ、レンズチューブ、第１のレンズと第２のレンズの組み立ての安定性が高いレンズモジュールの提供。【解決手段】レンズモジュール１００で、第１の筒壁１０１Ａ及び第２の筒壁１０１Ｂを有するレンズチューブ１０１と、レンズチューブ１０１内に第１のレンズ１０４及び第２のレンズ１０５とを有し、第１の筒壁１０１Ａは光透過孔１０１Ｃを有する。第１のレンズ１０４は、第２のレンズ１０５に向う第１の表面と、第２の筒壁１０１Ｂに接する側面を有し、第１の表面は、第１の円弧面と、第１の円弧面に接する第１の延伸面を有する。第２のレンズ１０５は第１のレンズ１０４に向う上面と、第２の筒壁１０１Ｂに接する接続面を有し、上面は、第１の延伸面と所定の距離を隔てる第１の積載面と、第１の円弧面に接する第２の円弧面を有する。【選択図】図１
2015176145.tif 000002
【特許請求の範囲】
【請求項１】
レンズチューブと、前記レンズチューブ内に設けられるとともに前記レンズチューブに接続されるレンズ群とを含むレンズモジュールであって、
前記レンズチューブは、複数の筒壁と、前記複数の筒壁により囲まれて形成されている収容空間とを有し、
前記レンズ群には、前記収容空間内に位置され且つ前記筒壁に接続される第１のレンズと、前記第１のレンズの下に位置され且つ前記第１のレンズに接続される第２のレンズが含まれており、
前記筒壁は、光透過孔が設けられた第１の筒壁と、前記第１の筒壁から屈折して延伸される第２の筒壁とを備え、
前記第１のレンズが前記筒壁に接続されることにより、該レンズモジュールが第１の合わせ精度を有するようになり、前記第１のレンズは、前記第２のレンズに向う第１の表面と、前記第２のレンズから離れる方向に前記第１の表面から屈折して延伸される側面とを有し、前記第１の表面は第１の円弧面と前記第１の円弧面の一側に接続される第１の延伸面とを有し、前記側面は前記第２の筒壁における前記収容空間に向う表面に当接し、
前記第２のレンズは前記第１のレンズに向う上面と、前記第１のレンズから離れる方向に前記上面から屈折して延伸される接続面とを有し、前記上面は、順次に接続される、前記第１の延伸面と所定の距離を隔てる第１の積載面、及び前記第１の円弧面に当接する第２の円弧面を有し、前記接続面は前記第２の筒壁における前記収容空間に向う表面に当接し、前記第２の円弧面が前記第１の円弧面に合わせることにより、前記レンズモジュールが第２の合わせ精度を有するようになり、
前記第２の合わせ精度によって、前記第１のレンズ及び前記第２のレンズの光軸が共通し、前記第１の合わせ精度によって、前記光透過孔の中心が前記光軸に位置するようになることを特徴とするレンズモジュール。
【請求項２】
前記第２の筒壁における前記収容空間に向う表面は、第１の筒壁に接続される第１の当接面、前記光透過孔の中心が位置する直線から離れる方向に沿って前記第１の当接面から屈折して延伸される延伸面、及び、前記延伸面から屈折して延伸される第２の当接面を含み、前記側面は前記第１の当接面に当接し、前記接続面は前記第２の当接面に当接することを特徴とする請求項１に記載のレンズモジュール。
【請求項３】
前記第１のレンズは前記第１の表面に対向する第２の表面を更に有し、前記第２のレンズは前記上面から離れる下面を有し、前記第２の表面は、順次に接続される、第２の延伸面及び第１の光学面を含み、前記第２の延伸面は前記第１の筒壁における前記収容空間に向う表面に当接することを特徴とする請求項１に記載のレンズモジュール。
【請求項４】
前記第１の円弧面及び第２の円弧面は、前記第２の表面又は下面から最も遠いジョイント線を有し、前記第１の円弧面及び第２の円弧面のいずれも前記ジョイント線から前記第２の筒壁方向へ延伸する第１の部分、及び前記ジョイント線から前記光軸の方向へ延伸する第２の部分を含んでいることを特徴とする請求項３に記載のレンズモジュール。
【請求項５】
前記第１の表面は、前記第１の円弧面の他側に接続される第３の延伸面、前記第３の延伸面から屈折して延伸される遷移面、前記遷移面から屈折して延伸される第４の延伸面、及び第２の光学面を更に含み、前記上面は、順次に接続される、前記第２の円弧面に接続される第２の積載面及び第３の光学面を含んでいることを特徴とする請求項３に記載のレンズモジュール。
【請求項６】
前記第２の積載面と、前記第３の延伸面、遷移面、及び第４の延伸面との間に所定の距離が隔てられ、前記第２の光学面と前記第３の光学面との間に所定の距離が隔てられることを特徴とする請求項５に記載のレンズモジュール。
【請求項７】
前記第１の積載面及び第２の積載面のいずれも前記光軸に直交することを特徴とする請求項５に記載のレンズモジュール。
【請求項８】
前記第３の延伸面及び第４の延伸面のいずれも前記光軸に直交することを特徴とする請求項５に記載のレンズモジュール。
【請求項９】
前記第１の表面は、前記第１の円弧面の他側に接続される第３の延伸面及び第２の光学面を更に含み、前記上面は、順次に接続される、前記第２の円弧面に接続される第２の積載面、前記第２の積載面から屈折して延伸される遷移面、前記遷移面から屈折して延伸される第３の積載面、及び第３の光学面を含むことを特徴とする請求項３に記載のレンズモジュール。
【請求項１０】
前記第２の積載面、遷移面及び第３の積載面のいずれも前記第３の延伸面と所定の距離が隔てられ、前記第２の光学面と前記第３の光学面との間に所定の距離が隔てられることを特徴とする請求項９に記載のレンズモジュール。
【発明の詳細な説明】
【技術分野】
【０００１】
本発明は、レンズモジュールに関するものである。
【背景技術】
【０００２】
科学技術が続けて発展することに伴い、電子設備のインテリジェント化が徐々に発展されており、デジタルカメラの以外に、携帯式の電子設備、例えばタブレットパソコン、携帯などもレンズモジュールを有するようになっている。人々の使用要望にかなうように、レンズモジュールによって撮影したものの画像品質にも高い要求がさらに求められている。撮影したものの画像品質は大程度にレンズモジュール内における各レンズの光軸の同軸度に関係する。
【０００３】
関連技術では、レンズモジュールは、光透過孔が設置されたレンズチューブ及びレンズチューブ内に設置されるレンズ群を含み、レンズ群には少なくとも二枚の光学レンズが備えられ、光透過孔の幾何学中心を通過した直線及びこれらの光学レンズの光軸は重合されるべき、即ち、高い同軸度を有することが確保されるべきである。また、各光学レンズの間の相互接続も高い安定性を有するべきである。しかし、生産製造の過程において、光学レンズの間の偏心は比較的敏感であるため、高い同軸度及び安定性の保証が困難である。
これによれば、新規レンズモジュールを提供することが必要となる。
【発明の概要】
【発明が解決しようとする課題】
【０００４】
本発明は、同軸度が良く、安定性の高いレンズモジュールを提供することを目的とする。
【課題を解決するための手段】
【０００５】
上記目的を達成するために、本発明は、レンズチューブと、前記レンズチューブ内に設けられるとともに前記レンズチューブに接続されるレンズ群とを含むレンズモジュールであって、前記レンズチューブは、複数の筒壁（Ｃｙｌｉｎｄｅｒ  ｗａｌｌ）と、前記複数の筒壁により囲まれて形成されている収容空間とを有し、前記レンズ群には、前記収容空間内に位置され且つ前記筒壁に接続される第１のレンズと、前記第１のレンズの下に位置され且つ前記第１のレンズに接続される第２のレンズが含まれており、
前記筒壁は、光透過孔が設けられた第１の筒壁と、前記第１の筒壁から屈折して延伸される第２の筒壁とを備え、
前記第１のレンズが前記筒壁に接続されることにより、該レンズモジュールが第１の合わせ精度を有するようになり、前記第１のレンズは前記第２のレンズに向う第１の表面と、前記第２のレンズから離れる方向に前記第１の表面から屈折して延伸される側面とを有し、前記第１の表面は第１の円弧面と前記第１の円弧面の一側に接続される第１の延伸面とを有し、前記側面は前記第２の筒壁における前記収容空間に向う表面に当接し、
前記第２のレンズは前記第１のレンズに向う上面と、前記第１のレンズから離れる方向に前記上面から屈折して延伸される接続面とを有し、前記上面は、順次に接続される、前記第１の延伸面と所定の距離を隔てる第１の積載面、及び前記第１の円弧面に当接する第２の円弧面を有し、前記接続面は前記第２の筒壁における前記収容空間に向う表面に当接し、前記第２の円弧面が第１の円弧面に合わせることにより、前記レンズモジュールが第２の合わせ精度を有するようになり、
前記第２の合わせ精度によって、前記第１のレンズ及び前記第２のレンズの光軸が共通し、前記第１の合わせ精度によって、前記光透過孔の中心が前記光軸に位置するようになる。
好ましくは、前記第２の筒壁における前記収容空間に向う表面が、第１の筒壁に接続される第１の当接面、前記光透過孔の中心が位置する直線から離れる方向に沿って前記第１の当接面から屈折して延伸される延伸面、及び、前記延伸面から屈折して延伸される第２の当接面を含み、前記側面が前記第１の当接面に当接し、前記接続面が前記第２の当接面に当接する。
好ましくは、前記第１のレンズが前記第１の表面に対向する第２の表面を更に有し、前記第２のレンズが前記上面から離れる下面を有し、前記第２の表面が、順次に接続される、第２の延伸面及び第１の光学面を含み、前記第２の延伸面が前記第１の筒壁における前記収容空間に向う表面に当接する。
好ましくは、前記第１の円弧面及び第２の円弧面は、前記第２の表面又は下面から最も遠いジョイント線を有し、前記第１の円弧面及び第２の円弧面はいずれも前記ジョイント線から前記第２の筒壁方向へ延伸する第１の部分、及び前記ジョイント線から前記光軸の方向へ延伸する第２の部分を含んでいる。
好ましくは、前記第１の表面は、前記第１の円弧面の他側に接続される第３の延伸面、前記第３の延伸面から屈折して延伸される遷移面、前記遷移面から屈折して延伸される第４の延伸面、及び第２の光学面を更に含み、前記上面は、順次に接続される、前記第２の円弧面に接続される第２の積載面及び第３の光学面を含んでいる。
好ましくは、前記第２の積載面と、前記第３の延伸面、遷移面、及び第４の延伸面との間に所定の距離が隔てられ、前記第２の光学面と前記第３の光学面との間に所定の距離が隔てられる。
好ましくは、前記第１の積載面及び第２の積載面のいずれも前記光軸に直交する。
好ましくは、前記第３の延伸面及び第４の延伸面のいずれも前記光軸に直交する。
好ましくは、前記第１の表面は、前記第１の円弧面の他側に接続される第３の延伸面及び第２の光学面を更に含み、前記上面は、順次に接続される、前記第２の円弧面に接続される第２の積載面、前記第２の積載面から屈折して延伸される遷移面、前記遷移面から屈折して延伸される第３の積載面、及び第３の光学面を含む。
好ましくは、前記第２の積載面、遷移面及び第３の積載面のいずれも前記第３の延伸面と所定の距離が隔てられ、前記第２の光学面と前記第３の光学面との間に所定の距離が隔てられる。
【発明の効果】
【０００６】
第１のレンズが筒壁に接続されていることにより、第１のレンズ及び光透過孔は高い同心度を有することが保証できる。第１のレンズの第１の円弧面が第２のレンズの第２の円弧面に当接していることにより、第１のレンズ及び第２のレンズは比較的に高い同軸度を有することが保証でき、且つレンズ群とレンズチューブの取付の安定性が高い。
【図面の簡単な説明】
【０００７】
【図１】図１は、本発明によるレンズモジュールの第１の実施例の構造を示す概略図である。
【図２】図２は、本発明によるレンズモジュールの第１の実施例におけるレンズチューブの構造を示す概略図である。
【図３】図３は、本発明によるレンズモジュールの第１の実施例における第１のレンズの構造を示す概略図である。
【図４】図４は、本発明によるレンズモジュールの第１の実施例における第２のレンズの構造を示す概略図である。
【図５】図５は、本発明によるレンズモジュールの第２の実施例の構造を示す概略図である。
【図６】図６は、本発明によるレンズモジュールの第２の実施例におけるレンズチューブの構造を示す概略図である。
【図７】図７は、本発明によるレンズモジュールの第２の実施例における第１のレンズの構造を示す概略図である。
【図８】図８は、本発明によるレンズモジュールの第２の実施例における第２のレンズの構造を示す概略図である。
【図９】図９は、本発明によるレンズモジュールの第３の実施例の構造を示す概略図である。
【図１０】図１０は、本発明によるレンズモジュールの第３の実施例におけるレンズチューブの構造を示す概略図である。
【図１１】図１１は、本発明によるレンズモジュールの第３の実施例における第１のレンズの構造を示す概略図である。
【図１２】図１２は、本発明によるレンズモジュールの第３の実施例における第２のレンズの構造を示す概略図である。
【発明を実施するための形態】
【０００８】
本発明に係る実施形態について、図面を参照しつつ説明する。
【０００９】
［第１の実施例］
図１に示されるように、レンズモジュール１００は、レンズチューブ１０１と、レンズチューブ１０１内に設けられているとともにレンズチューブ１０１に接続されるレンズ群１０３とを備える。
【００１０】
レンズチューブ１０１は第１の筒壁１０１Ａと、第１の筒壁１０１Ａから屈折して延伸される第２の筒壁１０１Ｂとを有する。第１の筒壁１０１Ａ及び第２の筒壁１０１Ｂが共通に囲むことで、一つの収容空間１０２は形成されており、第１の筒壁１０１Ａの中央に光透過孔１０１Ｃが開けて設けられている。図２に示されるように、第２の筒壁１０１Ｂにおける収容空間１０２に向う表面は、第１の当接面１０１Ｄ、前記光透過孔１０１Ｃの中心が位置する直線から離れる方向に沿って前記第１の当接面１０１Ｄから屈折して延伸される延伸面１０１Ｆ、及び、前記延伸面１０１Ｆから屈折して延伸される第２の当接面１０１Ｅを含んでいる。
レンズ群１０３は第１のレンズ１０４と、第１のレンズ１０４に接続される第２のレンズ１０５とを備える。
【００１１】
図３に示されるように、第１のレンズ１０４は、第２のレンズ１０５に向う第１の表面１０４Ｂ、第１の表面１０４Ｂに対向する第２の表面１０４Ａ、及び第１の表面１０４Ｂと第２の表面１０４Ａとを接続する側面１０４Ｃを有する。なお、第２の表面１０４Ａは、順次に接続される、第２の延伸面１０７及び第１の光学面１０８を有する。そして、第２の延伸面１０７は第１の筒壁１０１Ａにおける収容空間１０２に向う表面に当接している。前記第２の延伸面１０７が第１の筒壁１０１Ａにおける収容空間１０２に向う表面に当接していることにより、該レンズモジュール１００は第１の合わせ精度を有するようになる。第２の延伸面１０７が光軸１０６に直交し、側面１０４Ｃが第１の当接面１０１Ｄに当接する。
【００１２】
第１の表面１０４Ｂは、順次に接続される、光軸１０６を中心として環状に分布される第１の円弧面１１０、第１の円弧面１１０の一側に接続される第１の延伸面１０９、第１の円弧面１１０の他側に接続される第３の延伸面１１１、第３の延伸面１１１から屈折して延伸される遷移面１１２、前記遷移面１１２から屈折して延伸される第４の延伸面１１３、及び第２の光学面１１４を有する。
【００１３】
図４に示されるように、第２のレンズ１０５は、第１のレンズ１０４に向う上面１０５Ａ、上面１０５Ａに対向する下面１０５Ｂ、及び上面１０５Ａと下面１０５Ｂとを接続する接続面１０５Ｃを有する。なお、接続面１０５Ｃが第２の当接面１０１Ｅに当接する。上面１０５Aは、順次に接続される、第１の積載面１１５、第１の円弧面１１０に当接する第２の円弧面１１６、第２の積載面１１７、及び第３の光学面１１８を有する。第２のレンズ１０５における第２の円弧面１１６が第１のレンズ１０４における第１の円弧面１１０に当接していることにより、レンズモジュール１００は第２の合わせ精度を有するようになり、第２の合わせ精度によって、第２のレンズ１０５及び第１のレンズ１０４の同軸度を保証することができる。すなわち、第２の円弧面１１６が第１の円弧面１１０に当接していることにより、第１のレンズ１０４と第２のレンズ１０５とが光軸１０６を共通するようになる。また、第１の合わせ精度によって、光透過孔１０１Ｃの中心が光軸１０６に位置することが確保される。
【００１４】
本実施例において、第１の円弧面１１０は下に突起された円弧面であり、第２の円弧面１１６は対応的に下に凹まれた円弧面である。なお、第１の円弧面は上に凹まれた円弧面であり、第２の円弧面は対応的に上に突起された円弧面であることも可能である。
【００１５】
第１の積載面１１５と第１の延伸面１０９との間に所定の間隔が置かれ、第２の積載面１１７と第３の延伸面１１１及び第４の延伸面１１３との間に所定の間隔が置かれ、第３の光学面１１８と第２の光学面１１４との間に所定の間隔が置かれている。第１の積載面１１６及び第２の積載面１１７のいずれも光軸１０６に直交する。第２の積載面１１７と第３の延伸面１１１及び第４の延伸面１１３との間に所定の間隔を置いた理由、また、第３の光学面１１８と第２の光学面１１４との間に所定の間隔を置いた理由は、遮光シートを置くためであり、第１のレンズ１０４と第２のレンズ１０５との間における空気間隔が上記両種の当接構造によって確定されるように保証するためでもある。また、遮光シートの厚さ公差は、第１のレンズ１０４と第２のレンズ１０５との間の空気間隔に影響を与えない。そして、第１の積載面１１５と第１の延伸面１０９との間に所定の間隔を置いた理由は、第１のレンズ１０４と第２のレンズ１０５との同軸度が、相互に当接している第１の円弧面１１０及び第２の円弧面１１６によって確定されるようにするためである。このように、筒壁の同軸度の偏差はレンズ群の同軸度に影響しないことになる。
【００１６】
第１のレンズ１０４及び第２のレンズ１０５において、第１の円弧面１１０と第２の円弧面１１６との当接によって、第１のレンズ１０４と第２のレンズ１０５とが光軸を共通することが確保されており、そして、レンズ群１０３において、側面１０４Cと第２の筒壁１０１Bにおける収容空間１０２に向う表面との当接によって、光透過孔１０４Ｃの中心が光軸１０６に位置することが確保される。それによって、レンズチューブとレンズ群との同軸度を保証し難い問題を克服するようになる。
【００１７】
［第２の実施例］
図５に示されるように、レンズモジュール２００は、レンズチューブ２０１と、レンズチューブ２０１内に設けられるとともにレンズチューブ２０１に接続されるレンズ群２０３とを備える。
【００１８】
レンズチューブ２０１は第１の筒壁２０１Ａと、第１の筒壁２０１Ａから屈折して延伸される第２の筒壁２０１Ｂとを有する。第１の筒壁２０１Ａ及び第２の筒壁２０１Ｂが共通に囲むことで、一つの収容空間２０２は形成されており、第１の筒壁２０１Ａの中央に光透過孔２０１Ｃが開けて設けられている。図６に示されるように、第２の筒壁２０１Ｂにおける収容空間２０２に向う表面は、第１の当接面２０１Ｄ、前記光透過孔２０１Ｃの中心が位置する直線から離れる方向に沿って前記第１の当接面２０１Ｄから屈折して延伸される延伸面２０１Ｆ、及び、前記延伸面２０１Ｆから屈折して延伸される第２の当接面２０１Ｅを含んでいる。
レンズ群２０３は第１のレンズ２０４と、第１のレンズ２０４に接続される第２のレンズ２０５とを備える。
【００１９】
図７に示されるように、第１のレンズ２０４は、第２のレンズ２０５に向う第１の表面２０４Ｂ、第１の表面２０４Ｂに対向する第２の表面２０４Ａ、及び第１の表面２０４Ｂと第２の表面２０４Ａとを接続する側面２０４Ｃを有する。なお、第２の表面２０４Ａは、順次に接続される、第２の延伸面２０７及び第１の光学面２０８を有する。そして、第２の延伸面２０７が、第１の筒壁２０１Ａにおける収容空間２０２に向う表面に当接している。前記第２の延伸面２０７が第１の筒壁２０１Ａにおける収容空間２０２に向う表面に当接していることにより、該レンズモジュール２００が第１の合わせ精度を有するようになる。第２の延伸面２０７が光軸２０６に直交し、側面２０４Ｃが第１の当接面２０１Ｄに当接する。
【００２０】
第１の表面２０４Ｂは、光軸２０６を中心として環状に分布される第１の円弧面２１０、第１の円弧面２１０の一側に接続される第１の延伸面２０９、第１の円弧面２１０の他側に接続される第３の延伸面２１１、及び第２の光学面２１２を有する。
【００２１】
図８に示されるように、第２のレンズ２０５は、第１のレンズ２０４に向う上面２０５Ａ、上面２０５Ａに対向する下面２０５Ｂ、及び上面２０５Ａと下面２０５Ｂとを接続する接続面２０５Ｃを有する。なお、接続面２０５Ｃが第２の当接面２０１Ｅに当接する。上面２０５Aは、順次に接続される、第１の積載面２１３、第１の円弧面２１０に当接する第２の円弧面２１４、第２の積載面２１５、第２の積載面２１５から屈折して延伸される遷移面２１６、前記遷移面２１６から屈折して延伸される第３の積載面２１７、及び第３の光学面２１８を有する。第２のレンズ２０５における第２の円弧面２１４が第１のレンズ２０４における第１の円弧面２１０に当接していることにより、該レンズモジュール２００が第２の合わせ精度を有するようになり、該第２の合わせ精度によって、第２のレンズ２０５及び第１のレンズ２０４の同軸度を保証することができる。すなわち、第２の円弧面２１４が第１の円弧面２１０に当接していることにより、第１のレンズ２０４と第２のレンズ２０５とが光軸２０６を共通するようになる。また、第１の合わせ精度によって、光透過孔２０１Ｃの中心が光軸２０６に位置することが確保される。
【００２２】
本実施例において、第１の円弧面２１０は下に突起された円弧面であり、第２の円弧面２１４は対応的に下に凹まれた円弧面である。なお、第１の円弧面は上に凹まれた円弧面であり、第２の円弧面は対応的に上に突起された円弧面であることも可能である。
【００２３】
第１の積載面２１３と第１の延伸面２０９との間に所定の間隔が置かれ、第２の積載面２１５と第３の積載面２１６及び第３の延伸面２１１との間に所定の間隔が置かれ、第３の光学面２１８と第２の光学面２１２との間に所定の間隔が置かれている。第３の延伸面２１１、第１の積載面２１３及び第２の積載面２１５のいずれも光軸２０６に直交する。第２の積載面２１５と第３の積載面２１６及び第３の延伸面２１１との間に所定の間隔を置いた理由、また、第３の光学面２１８と第２の光学面２１２との間に所定の間隔を置いた理由は、遮光シートを置くためであり、第１のレンズ２０４と第２のレンズ２０５との間における空気間隔が上記両種の当接構造によって確定されるように保証するためでもある。また、遮光シートの厚さ公差は、第１のレンズ２０４と第２のレンズ２０５との間の空気間隔に影響を与えない。そして、第１の積載面２１３と第１の延伸面２０９との間に所定の間隔を置いた理由は、第１のレンズ２０４と第２のレンズ２０５との同軸度が、相互に当接している第１の円弧面２１０及び第２の円弧面２１４によって確定されるようにするためである。このように、筒壁の同軸度の偏差はレンズ群の同軸度に影響しないことになる。
【００２４】
第１のレンズ２０４及び第２のレンズ２０５において、第１の円弧面２１０と第２の円弧面２１４との当接によって、第１のレンズ２０４と第２のレンズ２０５とが光軸を共通することが確保されており、そして、レンズ群２０３において、側面２０４Cと第２の筒壁２０１Bにおける収容空間２０２に向う表面との当接によって、光透過孔２０４Ｃの中心が光軸２０６に位置することが確保される。それによって、レンズチューブとレンズ群との同軸度を保証し難い問題を克服するようになる。
【００２５】
［第３の実施例］
図９に示されるように、レンズモジュール３００は、レンズチューブ３０１と、レンズチューブ３０１内に設けられるとともにレンズチューブ３０１に接続されるレンズ群３０３とを備える。
【００２６】
レンズチューブ３０１は第１の筒壁３０１Ａと、第１の筒壁３０１Ａから屈折して延伸される第２の筒壁３０１Ｂとを有する。第１の筒壁３０１Ａ及び第２の筒壁３０１Ｂが共通に囲むことで、一つの収容空間３０２は形成されており、第１の筒壁３０１Ａの中央に光透過孔３０１Ｃが開けて設けられている。図１０に示されるように、第２の筒壁３０１Ｂにおける収容空間３０２に向う表面は、第１の当接面３０１Ｄ、前記光透過孔３０１Ｃの中心が位置する直線から離れる方向に沿って前記第１の当接面３０１Ｄから屈折して延伸される延伸面３０１Ｆ、及び、前記延伸面３０１Ｆから屈折して延伸される第２の当接面３０１Ｅを含んでいる。
レンズ群３０３は第１のレンズ３０４と、第１のレンズ３０４に接続される第２のレンズ３０５とを備える。
【００２７】
図１１に示されるように、第１のレンズ３０４は、第２のレンズ３０５に向う第１の表面３０４Ｂ、第１の表面３０４Ｂに対向する第２の表面３０４Ａ、及び第１の表面３０４Ｂと第２の表面３０４Ａとを接続する側面３０４Ｃを有する。なお、第２の表面３０４Ａは、順次に接続される、第２の延伸面３０７及び第１の光学面３０８を有する。そして、第２の延伸面３０７は第１の筒壁３０１Ａにおける収容空間３０２に向う表面に当接している。前記第２の延伸面３０７が第１の筒壁３０１Ａにおける収容空間３０２に向う表面に当接していることにより、該レンズモジュール３００が第１の合わせ精度を有するようになる。第２の延伸面３０７が光軸３０６に直交し、側面３０４Ｃが第１の当接面３０１Ｄに当接する。
【００２８】
第１の表面３０４Ｂは、光軸３０６を中心として環状に分布される第１の円弧面３１０、第１の円弧面３１０の一側に接続される第１の延伸面３０９、第１の円弧面３１０の他側に接続される第３の延伸面３１１、第３の延伸面３１１から屈折して延伸される遷移面３１２、及び第２の光学面３１３を有する。
【００２９】
図１２に示されるように、第２のレンズ３０５は、第１のレンズ３０４に向う上面３０５Ａ、上面３０５Ａに対向する下面３０５Ｂ、及び上面３０５Ａと下面３０５Ｂとを接続する接続面３０５Ｃを有する。なお、接続面３０５Ｃが第２の当接面３０１Ｅに当接する。上面３０５Ａは、順次に接続される、第１の積載面３１４、第１の円弧面３１０に当接する第２の円弧面３１５、第２の積載面３１６、及び第３の光学面３１７を有する。第２のレンズ３０５における第２の円弧面３１５が第１のレンズ３０４における第１の円弧面３１０に当接していることにより、レンズモジュール３００が第２の合わせ精度を有するようになり、第２の合わせ精度によって、第２のレンズ３０５及び第１のレンズ３０４の同軸度を保証することができる。すなわち、第２の円弧面３１５が第１の円弧面３１０に当接していることにより、第１のレンズ３０４と第２のレンズ３０５とが光軸３０６を共通するようになる。また、第１の合わせ精度によって、光透過孔３０１Ｃの中心が光軸３０６に位置することが確保される。第１の積載面３１４と第１の延伸面３０９との間に所定の間隔が置かれ、第２の積載面３１６と第３の延伸面３１１及び遷移面３１２との間に所定の間隔が置かれ、第３の光学面３１７と第２の光学面３１３との間に所定の間隔が置かれている。第１の積載面３１５及び第２の積載面３１６のいずれも光軸３０６に直交する。
【００３０】
本実施例において、前記第１の円弧面３１０及び第２の円弧面３１５は、前記第２の表面３０１Ａから最も遠いジョイント線を有する。図１１及び図１２に示される断面図によれば、第１の円弧面３１０における左辺の円弧を例とすると、ジョイント線は第１の円弧面３１０の最低点と直線Ａとの交点であり、第２の円弧面３１５における右辺の円弧を例とすると、ジョイント線は第２の円弧面３１５の最低点と直線Ｂとの交点である。第１の円弧面３１０は、当該ジョイント線から第２の筒壁３０１Ｂの方向に延伸される第１の部分３１０Ａと、当該ジョイント線から光軸３０６の方向に延伸される第２の部分３１０Ｂとを含み、第２の円弧面３１５も当該ジョイント線から第２の筒壁３０１Ｂの方向に延伸される第１の部分３１５Ａと、当該ジョイント線から光軸３０６の方向に延伸される第２の部分３１５Ｂとを含む。この時、第１の円弧面３１０は下に突起された円弧面であり、第２の円弧面３１５は対応的に下に凹まれた円弧面である。第１の円弧面及び第２の円弧面は下面３０５Ｂから最も近いジョイント線を有することも可能であり、その場合には、第１の円弧面は上に凹まれた円弧面であり、第２の円弧面は対応的に上に突起された円弧面である。
【００３１】
第２の積載面３１６と第３の延伸面３１１及び遷移面３１２との間に所定の間隔を置いた理由、また、第３の光学面３１７と第２の光学面３１３との間に所定の間隔を置いた理由は、遮光シートを置くためであり、第１のレンズ３０４と第２のレンズ３０５との間における空気間隔が上記両種の当接構造によって確定されるように保証するためでもある。また、遮光シートの厚さ公差は、第１のレンズ３０４と第２のレンズ３０５との間の空気間隔に影響を与えない。そして、第１の積載面３１４と第１の延伸面３０９との間に所定の間隔を置いた理由、また、第２の積載面３１６と第３の延伸面３１１及び遷移面３１２との間に所定の間隔を置いた理由は、第１のレンズ３０４と第２のレンズ３０５との同軸度が、相互に当接している第１の円弧面３１０及び第２の円弧面３１５によって確定されるようにするためである。このように、筒壁の同軸度の偏差はレンズ群の同軸度に影響しないことになる。
【００３２】
第１のレンズ３０４及び第２のレンズ３０５において、第１の円弧面３１０と第２の円弧面３１５との当接によって、第１のレンズ３０４と第２のレンズ３０５とが光軸を共通することが確保されており、そして、レンズ群３０３において、側面３０４Cと第２の筒壁３０１Bにおける収容空間３０２に向う表面との当接によって、光透過孔３０４Ｃの中心が光軸３０６に位置することが確保される。それによって、レンズチューブとレンズ群との同軸度を保証し難い問題を克服するようになる。
【００３３】
以上に記述されたのは、本発明の実施形態に過ぎなく、当業者にとっては、本発明の設計主旨を超えない限り、さらに変更することができるが、これらの変更は本発明の保護範囲に含まれると理解されるべきであろう。
【図１】
2015176145.tif 000003
【図２】
2015176145.tif 000004
【図３】
2015176145.tif 000005
【図４】
2015176145.tif 000006
【図５】
2015176145.tif 000007
【図６】
2015176145.tif 000008
【図７】
2015176145.tif 000009
【図８】
2015176145.tif 000010
【図９】
2015176145.tif 000011
【図１０】
2015176145.tif 000012
【図１１】
2015176145.tif 000013
【図１２】
2015176145.tif 000014